(57)【要約】【課題】拍子木様の打撃音を拡声して大きな打撃音を発することのできるメガホンを提供する。【解決手段】中間部拡声筒１０と、側部拡声筒２０と、中間部拡声筒と側部拡声筒の基部側を束ねて保持している把持筒３０とを備えている。中間部拡声筒１０と側部拡声筒２０の互いに対向している面１３、２１の対向間隔が先端側ほど大きくされていると共に、この対向している面１３、２１が側部拡声筒２０の変形を介して離接可能とされており、把持部３０を持って中間部拡声筒１０と側部拡声筒２０を上下に振ることによって、互いに対向している面１３、２１を打ち合わせて拍子木様の打撃音を発生可能とされており、そしてこの打撃音の拡声効果を発揮させるためのメガホン様凹入部１９が前記対向している面１３内に設けられている。【選択図】図１
0003126979.tif 000002
【実用新案登録請求の範囲】
【請求項１】
断面略長方形で互いに対向する長辺および互いに対向する短辺の長さが先端側ほど大きくされた中間部拡声筒と、
前記中間部拡声筒の前記長辺の外側に配置された側部拡声筒であって、断面略半円形で、断面積が先端側ほど大きく、かつ前記長辺の面と対向させた平坦な面の幅が先端側ほど大きくされた２つの側部拡声筒と、
前記中間部拡声筒と２つの側部拡声筒の基部側を束ねて保持している断面略円形の把持筒とを備えており、
前記中間部拡声筒の前記長辺の面とこの面に対向している前記側部拡声筒の平坦な面の対向間隔が先端側ほど大きくされていると共に、長辺の面と平坦な面が側部拡声筒の変形を介して互いに離接可能とされており、
前記中間部拡声筒の長辺の面内には、断面略半円形の凹入部が設けられ、この凹入部の幅と深さが先端側ほど大きくされて、メガホン様凹入部とされていることを特徴とするメガホン。
【請求項２】
前記中間部拡声筒と側部拡声筒の基部側は、それぞれ、把持筒に保持されている部分が長手方向に直交する断面積を一定にされている請求項１に記載のメガホン。
【請求項３】
前記把持筒は、中間部拡声筒及び側部拡声筒の基端より外側に延びる発声口を有している請求項１又は２に記載のメガホン。
【請求項４】
前記中間部拡声筒の長辺の面および前記側部拡声筒の平坦な面の基部側には、突部および孔部がそれぞれ設けられ、一方の面の突部と他方の面の孔部が、また一方の面の孔部と他方の面の突部が互いに嵌合している請求項１〜３のいずれかに記載のメガホン。
【請求項５】
中間部拡声筒と、中間部拡声筒の上下にそれぞれ配された側部拡声筒と、中間部拡声筒と上下の側部拡声筒の基部側を束ねて保持している把持筒とを備えており、
前記中間部拡声筒と側部拡声筒の互いに対向している面の対向間隔が先端側ほど大きくされていると共に、この対向している面が側部拡声筒の変形を介して離接可能とされており、
前記把持部を持って中間部拡声筒と側部拡声筒を上下に振ることによって、前記互いに対向している面を打ち合わせて拍子木様の打撃音を発生可能とされており、
そしてこの打撃音の拡声効果を発揮させるためのメガホン様凹入部が前記対向している面内に設けられていることを特徴とするメガホン。
【請求項６】
前記把持筒は、中間部拡声筒及び側部拡声筒の基端より外側に延びる発声口を有している請求項５に記載のメガホン。
【請求項７】
前記中間部拡声筒と前記側部拡声筒の基部側の互いに対向している面には、突部および孔部がそれぞれ設けられ、一方の面の突部と他方の面の孔部が、また一方の面の孔部と他方の面の突部が互いに嵌合している請求項５または６に記載のメガホン。
【考案の詳細な説明】
【技術分野】
【０００１】
この考案は、拍子木様の打撃音も拡声するようにしたメガホンに関する。
【背景技術】
【０００２】
従来、野球、サッカー等の競技の応援用の器具として、断面略半円形の拡声筒を２個、それぞれの平坦な面を互いに対向させ、かつ離接可能の状態で一体化したメガホンや、断面略扇形の拡声筒を３個、それぞれの平坦な面を互いに対向させ、かつ離接可能の状態で一体化したメガホンが公知である（特許文献１、２）。これらは、互いに対向させた平坦な面を互いに打ち合わせることで拍子木様の打撃音を発音できるようにしている。
【特許文献１】実用新案登録第３０１３３８１号公報
【特許文献２】実用新案登録第３０３２１１４号公報
【考案の開示】
【考案が解決しようとする課題】
【０００３】
上記従来のメガホンにおける拍子木様の打撃音は、互いに対向させた平坦な面を互いに衝突させ、この衝突の際に発する音をそのまま周囲に拡散させるものであったので、応援効果を求めて大きな打撃音を発するには多数の人員を要するものであった。
【０００４】
そこで、この考案は、拍子木様の打撃音を拡声して大きな打撃音を発することのできるメガホンを提供することを目的としている。
【課題を解決するための手段】
【０００５】
上記の目的のもとになされたこの考案のメガホンは、断面略長方形で互いに対向する長辺および互いに対向する短辺の長さが先端側ほど大きくされた中間部拡声筒と、前記中間部拡声筒の前記長辺の外側に配置された側部拡声筒であって、断面略半円形で、断面積が先端側ほど大きく、かつ前記長辺の面と対向させた平坦な面の幅が先端側ほど大きくされた２つの側部拡声筒と、前記中間部拡声筒と２つの側部拡声筒の基部側を束ねて保持している断面略円形の把持筒とを備えており、前記中間部拡声筒の前記長辺の面とこの面に対向している前記側部拡声筒の平坦な面の対向間隔が先端側ほど大きくされていると共に、長辺の面と平坦な面が側部拡声筒の変形を介して互いに離接可能とされており、前記中間部拡声筒の長辺の面内には、断面略半円形の凹入部が設けられ、この凹入部の幅と深さが先端側ほど大きくされて、メガホン様凹入部とされていることを特徴としている。
【０００６】
また、中間部拡声筒と、中間部拡声筒の上下にそれぞれ配された側部拡声筒と、中間部拡声筒と上下の側部拡声筒の基部側を束ねて保持している把持筒とを備えており、前記中間部拡声筒と側部拡声筒の互いに対向している面の対向間隔が先端側ほど大きくされていると共に、この対向している面が側部拡声筒の変形を介して離接可能とされており、前記把持部を持って中間部拡声筒と側部拡声筒を上下に振ることによって、前記互いに対向している面を打ち合わせて拍子木様の打撃音を発生可能とされており、そしてこの打撃音の拡声効果を発揮させるためのメガホン様凹入部が前記対向している面内に設けられていることを特徴としている。
【０００７】
上記の如く構成されるこの考案のメガホンにおいて、前記把持筒は、中間部拡声筒及び側部拡声筒の基端より外側に延びる発声口を有している構成とすることができる。メガホン本来の使用時に音声を洩れなく拡声筒側に導くことができる点で望ましい。
【０００８】
また、把持筒で一体化される中間部拡声筒と側部拡声筒の互いに対向している面には、突部および孔部がそれぞれ設けられ、一方の面の突部と他方の面の孔部が、また一方の面の孔部と他方の面の突部が互いに嵌合している構成とすることができる。把持筒による中間部拡声筒と側部拡声筒の一体化を強化することができる点で望ましい。
【考案の効果】
【０００９】
この考案のメガホンによれば、中間部拡声筒と側部拡声筒の互いに対向している面を打ち合わせて発する拍子木様の打撃音は、対向している面内に設けたメガホン様凹入部によって拡声することができるようになる。このため、インパクトのある大きな打撃音を周囲に拡散させることのできるメガホンが得られる効果がある。
【考案を実施するための最良の形態】
【００１０】
以下この考案の一実施形態を添付の図を参照して説明する。
【００１１】
図１は、実施形態のメガホン１の外観斜視図である。
【００１２】
中間部拡声筒１０と、２個の側部拡声筒２０と、中間部拡声筒１０および側部拡声筒２０の基部側を束ねて保持している把持筒３０とで構成されている。中間部拡声筒１０は図２に示したような形状とされ、側部拡声筒２０は図３に示したような形状とされている。
【００１３】
中間部拡声筒１０は、断面が略長方形の合成樹脂製の筒体でなり、互いに対向する長辺１１および互いに対向する短辺１２が、先端側（図１、２において上側）ほど長さが大きくされている。また、側部拡声筒２０は、断面が略半円形の合成樹脂製の筒体でなり、長手方向に直交する断面積が先端側（図１、３において上側）ほど大きくされ、そして平坦な面２１の幅が先端側ほど大きくされている。２個の側部拡声筒２０は、それぞれの平坦な面２１が中間部拡声筒１０の長辺の面１３と対向するように、中間部拡声筒１０の両側（上下）に配されている。
【００１４】
中間部拡声筒１０と２個の側部拡声筒２０の基部側を束ねている把持筒３０は、長手方向と直交する断面が略円形の合成樹脂製の筒体でなり、一端が中間部拡声筒１０および側部拡声筒２０の基端よりも外側に延びる長さを有しており、この外側に延びた部分でメガホン使用時の発声口３１を構成している。また、中間部拡声筒１０および側部拡声筒２０の、把持筒３０で束ねられて保持される基部側は、長手方向に直交する断面積が一定とされている。
【００１５】
把持筒３０で束ねられている中間部拡声筒１０と側部拡声筒２０の基部側は、互いに対向している前記長辺の面１３と平坦な面２１が接している（図５参照）。そして、この互いに接している面１３、２１には、図２に表れているように、突部１４と孔部１５の組が複数設けられ、一方の面（例えば面１３）の突部１４と他方の面（例えば面２１）の孔部１５が、また、一方の面の孔部１５と他方の面の突部１４が互いに嵌合しあい、束ねられた中間部拡声筒１０と側部拡声筒２０の一体化が強化されている。
【００１６】
更に、中間部拡声筒１０の基部側における短辺の面１６に溝１７（図２）が形成されていると共に、側部拡声筒２０の基部側における弧状の面２２にも溝２３（図３）が形成されており、中間部拡声筒１０と２つの側部拡声筒２０を束ねた状態では、これらの溝１７、２３が連続して環状の溝を形成するようにされている。そして、把持筒３０の内面には、この環状の溝に対向するように環状の突条３２（図５）が設けられ、環状の突条３２と溝１７、２３による環状の溝を互いに係止させて、把持筒３０が長手方向で移動しないようにされている。
【００１７】
中間部拡声筒１０と側部拡声筒２０の把持筒３０で束ねられている部分よりも先端側においては、中間部拡声筒１０の長辺の面１３と側部拡声筒２０の平坦な面２１が間隙を介して対向しており、この対向間隔が先端側ほど大きくされている。また、この長辺の面１３と平坦な面２１は、側部拡声筒２０の弾性変形を介して離接可能となっている。
【００１８】
そして、中間部拡声筒１０の長辺の面１３内には、略中央に沿って長手方向に断面略半円形の凹入部１８が設けられている。この凹入部１８の幅と深さは先端側ほど大きくされてメガホン様凹入部１９が構成されるようにされている。
【００１９】
次に、上記のように構成された実施形態のメガホン１の使用状態について説明する。メガホンすなわち拡声器として使用する場合には、把持筒３０の一端で構成した発声口３１を口にあてがい、音声を発する。発した音声は把持筒３０で洩れなく中間部拡声筒１０および側部拡声筒２０の基端へ導くことができ、導かれた音声は中間部拡声筒１０と側部拡声筒２０で拡声された後、先端の開口部から外部に拡散させることができる。
【００２０】
拍子木様の打撃音を発する場合には、把持筒３０の部分を一方の手で握り、メガホン１全体を振り、一方の側部拡声筒２０を他の手のひらなどに打ちつけるようにする。一方の側部拡声筒２０を他の手のひらなどに打ちつけた際には、２つの側部拡声筒２０がそれぞれ弾性変形して、間隙を介して対向している中間部拡声筒１０の長辺の面１３と側部拡声筒２０の平坦な面２１が打ち合い、拍子木様の打撃音が発せられる。この打撃音は、中間部拡声筒１０の長辺の面１３内に設けたメガホン様凹入部１９で拡声して、先端より外部に拡散させることができる。したがって、比較的大きな打撃音を周囲に拡散させることができる。
【図面の簡単な説明】
【００２１】
【図１】この考案の実施形態のメガホンの外観斜視図である。
【図２】同じく実施形態のメガホンを構成した中間部拡声筒の外観斜視図である。
【図３】同じく実施形態のメガホンを構成した側部拡声筒の外観斜視図である。
【図４】同じく実施形態のメガホンの正面図である。
【図５】同じく実施形態のメガホンの正面縦断面図である。
【符号の説明】
【００２２】
１          メガホン
１０        中間部拡声筒
１１        長辺
１２        短辺
１３        長辺の面
１４        突部
１５        孔部
１６        短辺の面
１７        溝
１８        凹入部
１９        メガホン様凹入部
２０        側部拡声筒
２１        平坦な面
２２        弧状の面
２３        溝
３０        把持筒
３１        発声口
３２        環状の突条
【図１】
0003126979.tif 000003
【図２】
0003126979.tif 000004
【図３】
0003126979.tif 000005
【図４】
0003126979.tif 000006
【図５】
0003126979.tif 000007